(57)【要約】 【課題】  体温測定時に体温計をワキ下に挟んだ時に冷たさを軽減できる電子体温計または電子体温計用シース（カバー）の提供。【解決手段】  本発明は、測温部を除く筐体のほぼ全体を起毛素材または発泡素材で形成したことを特徴とする電子体温計である。また、本発明は、電子体温計に装着時に測温部を除く筐体のほぼ全体を起毛素材または発泡素材で形成したことを特徴とする電子体温計用シースである。起毛層を形成する短繊維は、デニール０．０８〜１．５、長さ０．２〜０．６ｍｍの細く短いパイルである。【選択図】  図１
2008191029.tif 000002
【特許請求の範囲】
【請求項１】
電子体温計であって、測温部を除く筐体のほぼ全体を起毛素材または発泡素材で形成したことを特徴とする電子体温計。
【請求項２】
電子体温計用のシースであって、電子体温計に装着時に測温部を除く筐体のほぼ全体を起毛素材または発泡素材で形成したことを特徴とする電子体温計用シース。
【発明の詳細な説明】
【技術分野】
【０００１】
本発明は、電子体温計、電子体温計のシース（カバー）に関するものである。
【背景技術】
【０００２】
従来の電子体温計においては、特に冬季の発熱時において体温測定するために、電子体温計をワキ下に挟んだときに、冷たさを感じ、不快感を感ずるものであった。また、接触性感染予防のため体温計のカバーが提案されている（特許文献１：登録実用新案第３０３９４７７号公報）。
【特許文献１】登録実用新案第３０３９４７７号公報
【発明の開示】
【発明が解決しようとする課題】
【０００３】
しかしながら電子体温計においては、測温部を予熱することは提案されているものの、本体を予熱することは提案されていない。また、後者においては、袋状のカバーが提案されているに過ぎない。
【０００４】
本発明は、上記問題点に鑑みなされたものであり、体温測定時に体温計をワキ下に挟んだ時に冷たさを軽減できる電子体温計または電子体温計用シース（カバー）を提供することを目的としている。
【課題を解決するための手段】
【０００５】
上記目的を達成するために、本発明の電子体温計は、測温部を除く筐体のほぼ全体を起毛素材または発泡素材で形成したことを特徴とする。また、電子体温計用のシースであって、電子体温計に装着時に測温部を除く筐体のほぼ全体を起毛素材または発泡素材で形成したことを特徴とする。
【発明の効果】
【０００６】
本発明によれば、体温測定時に体温計をワキ下に挟んだ時に冷たさを軽減でき、不快感を低減できる電子体温計または電子体温計用シース（カバー）を実現でき、測定者への負担を軽減することができる。
【発明を実施するための最良の形態】
【０００７】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【０００８】
（実施例）
＜電子体温計と電子体温計用シースの構成＞
図１は、本実施形態の電子体温計１００の外観を示す図で、図１（ａ）は、平面図、図１（ｂ）は、側面図、図１（ｃ）は、電子体温計用シース２００の平面図、図１（ｄ）は、電子体温計用シースの背面図、図１（ｅ）は、電子体温計用シース２００を電子体温計１００に装着した状態の側面図である。
【０００９】
２は、本体ケースで、後述する演算制御部２０等の電子回路、ブザー３１、電池(電源部)４０等が収納されている。３は、ステンレス製の金属キャップで、体温測定に必要なサーミスタ１３(図２参照)等を含む温度計測部を接着剤で固定して収納している。本体ケース２と金属キャップ３は接着剤（不図示）を介して液密に接合・固定されている。
【００１０】
こうして、金属キャップ３は、サーミスタ１３を外部の衝撃等から保護し、サーミスタ１３に体温（温度）を伝熱する。金属キャップ３は、外径約３ｍｍ，厚さ約０．２，ｍｍ，全長約８ｍｍ，重量２４０〜２５０ｇで、本体ケース２の先端部での接合部の長さは、３．５ｍｍ〜５ｍｍ程度となっている。サーミスタ１３を内蔵した金属キャツプ３を含む感熱部は、熱容量が０．１Ｊ／℃程度に低減されている。
【００１１】
この本体ケース２は、スチレン系樹脂（ハイインパクトスチロール，ＡＢＳ樹脂）、ポリオレフィン系樹脂（ポリプロピレン，ポリエチレン）等で形成されて、表示部３０を覆う透明の窓部２ｄとは好ましくは二色成形で樹脂部品として形成されている。窓部２ｄは、透明樹脂であるポリスチレン、ブタジエン・スチレン共重合体等のスチレン系樹脂；ポリ−２−メチルペンテン、ポリプロピレン等のポリオレフィン系樹脂；ポリメチルメタクリレート等のアクリル系樹脂；セルロースアセテート等のセルロースエステル；ポリエチレンテレフタレート等のポリエステル等から形成される。本体ケース２の金属キャップ３の反対側には電源ＯＮ／ＯＦＦスイッチ４が設けられている。
【００１２】
樹脂部品上に第１のベースコートを塗布し、次いで第２のベースコートを塗布し、さらに未硬化状態の第２のベースコートの表面に短繊維をエアーガンでスプレーして起毛させている。第１のベースコートを形成する塗料としては、一液性アクリルラッカー塗料、例えばミカサペイント（株）製ＭＫＸ−７２７などが好ましく、第２のベースコートを形成する塗料としては、高弾性の二液ポリエステルウレタン、例えば、ミカサペイント（株）製ヒューマンクリア８８５などが好ましい。第２のベースコート上に付着されて起毛層を形成する短繊維は、デニール０．０８〜１．５、長さ０．２〜０．６ｍｍの細く短いパイルである。長さが０．２ｍｍ未満では体温測定の際にワキ下に装着するに冷たさを低減する効果、ソフト感が低く、また０．６ｍｍを越えると、汚れ等が目立ち、好ましくない。材質としてはとくに制限はないが、耐光性能及びソフト感を得る点でポリエステル、ナイロン６６、レーヨンなどのパイルが好ましい。また、抗菌性を持たせるために、第２のベースコートにリン酸ジルコニウム銀化合物をほぼ１〜２．５重量％含むようにしてもよい。
【００１３】
一方、本体ケース２を形成する、スチレン系樹脂（ハイインパクトスチロール，ＡＢＳ樹脂）、ポリオレフィン系樹脂（ポリプロピレン，ポリエチレン）等で本体ケース２を形成する時に微小口径のエアノズルから空気を送り、発泡性を持たせるようにしてもよい。
【００１４】
次に、電子体温計用シースについて説明する。ブロー成形等でポリエステル、ナイロン６６、レーヨンからなるシース本体２０１の生地を形成する。電子体温計１００を装着した時にその金属キャップ３が突出するようにその先端部を開口させている。また、電子体温計１００を挿入した時にその表示部３０がシースから見えるようにするため、開口部２０２を設けてもよい。なお、電子体温計１００を挿入するための開口端２０４を設けている。形成した樹脂生地上に第１のベースコートを塗布し、次いで第２のベースコートを塗布し、さらに未硬化状態の第２のベースコートの表面に短繊維をエアーガンでスプレーして起毛させている。第１のベースコートを形成する塗料としては、一液性アクリルラッカー塗料、例えばミカサペイント（株）製ＭＫＸ−７２７などが好ましく、第２のベースコートを形成する塗料としては、高弾性の二液ポリエステルウレタン、例えば、ミカサペイント（株）製ヒューマンクリア８８５などが好ましい。第２のベースコート上に付着されて起毛層を形成する短繊維は、デニール０．０８〜１．５、長さ０．２〜０．６ｍｍの細く短いパイルである。長さが０．２ｍｍ未満では体温測定の際にワキ下に装着するに冷たさを低減する効果、ソフト感が低く、また０．６ｍｍを越えると、汚れ等が目立ち、好ましくない。材質としてはとくに制限はないが、耐光性能及びソフト感を得る点でポリエステル、ナイロン６６、レーヨンなどのパイルが好ましい。また、抗菌性を持たせるために、第２のベースコートにリン酸ジルコニウム銀化合物をほぼ１〜２．５重量％含むようにしてもよい。上記の他、合成繊維、特にアクリル系合成繊維の紡績糸からなる生地として、起毛（立毛）させてもよい。この場合、吸湿性が少ない。係止部２０３ａ、係止部２０３ｂは、ループ型、片方をフック型の面ファスナーで形成し、熱融着等によりシース本体２０１に固着される。また、シース本体２０１を毛皮で形成し、上述の係止部２０３ａ、係止部２０３ｂを後で設けてもよい。
【００１５】
図２は本実施例の電子体温計１００の構成を示す内部ブロック図である。電子体温計１００は、温度を計測しそれをデジタル値として出力する温度計測部１０と、計測された温度から予測温度を演算すると共に電子体温計１００を制御する演算制御部２０と測定結果を表示する、バックライト用のＬＥＤ３０ｃを備えた表示部３０とから構成される。
【００１６】
温度計測部１０は、並列に接続された感温部に設置されたサーミスタ１３及びコンデンサ１４と、測温用ＣＲ発振回路１１とから成り、サーミスタ１３の温度に対応するカウンタ１６のカウント量の変化に従い、温度をデジタル量として出力する。なお、温度計測部１０の構成は一例であって、これに限定するものではない。
【００１７】
演算制御部２０は、体温測定に必要なパラメータを格納したＥＥＰＲＯＭ２２ａ、計測温度を時系列で記憶するためのＲＡＭ２３、予測式などのプログラムを格納したＲＯＭ２２、表示部３０を制御するための表示制御部３０ｄ、測温用ＣＲ発振回路１１の発振信号をカウントするカウンタ１６、ＲＯＭ２２のプログラムに従いＥＥＰＲＯＭ２２ａに書かれた条件で演算を行なう演算処理部２１、カウンタ１６，演算処理部２１，表示制御部３０ｄを制御する制御回路５０とからなる。
【００１８】
さらに、本実施形態に特徴的な部分として、サーミスタ１３およびその周辺部の熱容量は従来の予測型電子体温計に比較し非常に小さくなっており、熱応答特性が良くなるよう構成されていることが挙げられる。ここで、周辺部の熱容量としては、サーミスタ１３を覆い体の測定部位に接する金属キャップ３や、金属キャップ３とサーミスタ１３との接着材などの熱容量が含まれる。
【図面の簡単な説明】
【００１９】
【図１】実施例に係る電子体温計と電子体温計用シースの外観図である。
【図２】実施例に係る電子体温計の内部ブロック図である。
【符号の説明】
【００２０】
２  本体ケース、３  金属キャップ、１００  電子体温計、２００  電子体温計用シース
【図１】
2008191029.tif 000003
【図２】
2008191029.tif 000004